【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
複数クライアントとホストとから構成されるホストベース型情報システムであって、
前記クライアントは、
表示状態を不揮発的に保持可能な記憶性の表示装置と、前記表示装置に表示させる文書の文書データを記憶する文書記憶手段と、前記ホストが接続されると前記ホストと自装置とを通信可能とし且つそれぞれが所定処理に対応する複数のクライアント側接続手段と、前記クライアント側接続手段に対応する所定処理を示す反応マップを記憶する反応マップ記憶手段と、を備え、
前記ホストは、
前記クライアント側接続手段に自装置を接続可能なホスト側接続手段と、通信可能となった前記クライアントの前記表示装置に表示されている文書データを前記文書記憶手段から取得する文書データ取得手段と、前記文書データ取得手段で取得された文書データに対して、前記ホスト側接続手段が接続されている前記クライアント側接続手段に前記反応マップによって対応づけられている所定処理を実行する処理実行手段と、を備えることを特徴とするホストベース型情報システム。
【請求項２】
前記ホスト側接続手段は、前記表示装置上の位置の指示に用いられ、
前記ホストは、前記ホスト側接続手段で指示された位置を検出する位置検出手段を備え、
前記処理実行手段は、前記所定処理において、前記位置検出手段で検出された位置情報を利用することを特徴とする請求項１に記載のホストベース型情報システム。
【請求項３】
前記クライアントは、前記表示装置上の位置を示す被観測パターンが記されており、
前記ホスト側接続手段は、指示位置に記されている前記被観測パターンを検出し、前記位置検出手段は、その検出結果に基づいて前記ホスト側接続手段で指示された位置を検出することを特徴とする請求項２に記載のホストベース型情報システム。
【請求項４】
前記クライアントは、前記文書データに基づいて生成された表示データを記憶する表示データ記憶手段と、前記表示データ記憶手段に記憶されている表示データに基づいて前記表示装置の表示状態を書き換える表示状態書換手段と、を備え、
前記処理実行手段は、前記所定処理として、前記文書データ取得手段で取得された文書データに基づいて表示データを生成し、その表示データを当該クライアントの前記表示データ記憶手段に記憶させる処理を実行することを特徴とする請求項１から３のいずれか１項に記載のホストベース型情報システム。
【請求項５】
前記ホストは、前記反応マップを生成する反応マップ生成手段と、通信可能となった前記クライアントの前記反応マップ記憶手段に記憶されている反応マップを前記反応マップ生成手段で生成された反応マップで書き換える反応マップ書換手段と、を備えることを特徴とする請求項１から４のいずれか１項に記載のホストベース型情報システム。
【請求項６】
前記ホストは、前記文書データ取得手段で取得された文書データに基づいて反応マップを生成する反応マップ生成手段と、通信可能となった前記クライアントの前記反応マップ記憶手段に記憶されている反応マップを前記反応マップ生成手段で生成された反応マップで書き換える反応マップ書換手段と、を備え、
前記表示状態書換手段は、前記反応マップ書換手段によって反応マップを書き換えた後に、前記表示装置の表示状態の書き換えを開始することを特徴とする請求項１から４のいずれか１項に記載のホストベース型情報システム。
【請求項７】
前記クライアントは、前記ホストの電源から電力の供給を受けて動作することを特徴と
する請求項１から６のいずれか１項に記載のホストベース型情報システム。
【請求項８】
表示端末と制御装置とから構成される情報システムであって、
前記表示端末は、
表示状態を不揮発的に保持可能な記憶性の表示装置と、前記表示装置に表示させる文書の文書データを記憶する文書記憶手段と、前記制御装置が接続されると前記制御装置と自装置とを通信可能とする表示端末側接続手段と、前記文書データに基づいて生成された表示データを記憶する表示データ記憶手段と、前記表示データ記憶手段に記憶されている表示データに基づいて前記表示装置の表示状態を書き換える表示状態書換手段と、を備え、
前記制御装置は、
前記表示端末側接続手段に自装置を接続可能な制御装置側接続手段と、通信可能となった前記表示端末の前記表示装置に表示されている文書データを前記文書記憶手段から取得する文書データ取得手段と、前記文書データ取得手段で取得された文書データに基づいて表示データを生成し、その表示データを前記表示端末の前記表示データ記憶手段に記憶させる表示データ記憶処理を実行する処理実行手段と、を備えることを特徴とする情報システム。
【請求項９】
前記表示端末側接続手段は、それぞれが所定処理に対応して複数設けられ、
前記表示端末は、前記表示端末側接続手段に対応する所定処理を示す反応マップを記憶する反応マップ記憶手段を備え、
前記反応マップは、前記所定処理として前記表示データ記憶処理を含み、
前記処理実行手段は、前記文書データ取得手段で取得された文書データに対して、前記制御装置側接続手段が接続されている前記表示端末側接続手段に前記反応マップによって対応づけられている所定処理を実行することを特徴とする請求項８に記載の情報システム。
【請求項１０】
クライアントとホストとから構成されるホストベース型情報システムの制御方法であって、
前記クライアントが備える複数のクライアント側接続手段のうちの特定クライアント側接続手段と前記ホストが備えるホスト側接続手段とを介して前記クライアントと前記ホストとが互いに通信可能となった場合に、
前記ホストが、通信可能となった前記クライアントが備える表示装置に表示されている文書データを、前記クライアントが備える当該文書データを記憶する文書記憶手段から取得する文書データ取得ステップと、
前記ホストが、前記文書データ取得ステップで取得された文書データに対して、前記クライアントが備える前記複数のクライアント側接続手段の各々に対応する所定処理を示す反応マップによって前記特定クライアント側接続手段に対応づけられている所定処理を実行する処理実行ステップと、
を実行することを特徴とするホストベース型情報システムの制御方法。
【請求項１１】
表示端末と制御装置とから構成される情報システムの制御方法であって、
前記表示端末が備える表示端末側接続手段と前記制御装置が備える制御装置側接続手段とを介して前記表示端末と前記制御装置とが互いに通信可能となった場合に、
前記制御装置が、通信可能となった前記表示端末が備える表示装置に表示されている文書データを、前記表示端末が備える当該文書データを記憶する文書記憶手段から取得する文書データ取得ステップと、
前記制御装置が、前記文書データ取得ステップで取得された文書データに基づいて表示データを生成し、その表示データを前記表示端末が備える表示データ記憶手段に記憶させる表示データ記憶処理を実行する処理実行ステップと、
前記表示端末が、前記処理実行ステップで前記表示データ記憶手段に記憶された表示データに基づいて、前記表示装置の表示状態を書き換える表示状態書換ステップと、
を実行することを特徴とする情報システムの制御方法。
【手続補正２】
【補正対象書類名】明細書
【補正対象項目名】発明の名称
【補正方法】変更
【補正の内容】
【発明の名称】ホストベース型情報システム、情報システム、ホストベース型情報システムの制御方法、および情報システムの制御方法
【手続補正３】
【補正対象書類名】明細書
【補正対象項目名】０００１
【補正方法】変更
【補正の内容】
【０００１】
本発明は、複数クライアントとホストとから構成されるホストベース型情報システム、情報システム、ホストベース型情報システムの制御方法および情報システムの制御方法に関する。
【手続補正４】
【補正対象書類名】明細書
【補正対象項目名】０００５
【補正方法】変更
【補正の内容】
【０００５】
本発明は、上記従来の技術の未解決の問題点を解決することを目的とするものであって、単一ユーザが複数のクライアントを操作する電子ペーパー装置からなるシステムに好適に適用できるホストベース型情報システム、情報システム、ホストベース型情報システムの制御方法および情報システムの制御方法を提供することを課題とする。
【手続補正５】
【補正対象書類名】明細書
【補正対象項目名】００１６
【補正方法】変更
【補正の内容】
【００１６】
このような構成によれば、例えば、表示データを保持したまま、紙のようにしばらく放置し、後で作業を継続したり、他のユーザに渡したり、といった複数クライアントの活用時に想定される操作がされたとしても、ホスト側接続手段をクライアント側接続手段に接続することで、クライアントに格納された反応マップに基づいて適切な処理を実行することができ、文書記憶手段や反応マップを参照しながら、回帰的に処理過程を進めることができる。
さらに、本発明のホストベース型情報システムの制御方法は、クライアントとホストとから構成されるホストベース型情報システムの制御方法であって、前記クライアントが備える複数のクライアント側接続手段のうちの特定クライアント側接続手段と前記ホストが備えるホスト側接続手段とを介して前記クライアントと前記ホストとが互いに通信可能となった場合に、前記ホストが、通信可能となった前記クライアントが備える表示装置に表示されている文書データを、前記クライアントが備える当該文書データを記憶する文書記憶手段から取得する文書データ取得ステップと、前記ホストが、前記文書データ取得ステップで取得された文書データに対して、前記クライアントが備える前記複数のクライアント側接続手段の各々に対応する所定処理を示す反応マップによって前記特定クライアント側接続手段に対応づけられている所定処理を実行する処理実行ステップと、を実行することを特徴とする。
また、本発明の情報システムの制御方法は、表示端末と制御装置とから構成される情報システムの制御方法であって、前記表示端末が備える表示端末側接続手段と前記制御装置が備える制御装置側接続手段とを介して前記表示端末と前記制御装置とが互いに通信可能となった場合に、前記制御装置が、通信可能となった前記表示端末が備える表示装置に表示されている文書データを、前記表示端末が備える当該文書データを記憶する文書記憶手段から取得する文書データ取得ステップと、前記制御装置が、前記文書データ取得ステップで取得された文書データに基づいて表示データを生成し、その表示データを前記表示端末が備える表示データ記憶手段に記憶させる表示データ記憶処理を実行する処理実行ステップと、前記表示端末が、前記処理実行ステップで前記表示データ記憶手段に記憶された表示データに基づいて、前記表示装置の表示状態を書き換える表示状態書換ステップと、を実行することを特徴とする。